(57)【要約】  画像形成部材と、画像形成部材の上に画像の形状でインクを噴射することのできるインクジェットヘッドと、画像形成部材上の画像の形状のインクを分画してそこから液体を除去するためのメカニズムと、この画像の形状のインクを画像形成部材から転写する先となる中間転写部材と、中間転写部材と挟持部を形成して、液体の除去された画像の形状のインクを受像体に転写するための転写部材と、を備える高速デジタル印刷装置。この印刷機用に適したインクは、適当な溶媒中にインク濃縮物を分散させることによって得られる。
2009538757.tif 000002
【特許請求の範囲】
【請求項１】
高速デジタル印刷機であって、
画像形成部材と、
前記画像形成部材の上に画像の形状でインクを噴射することのできるインクジェットヘッドと、
前記画像形成部材の上のそのような画像の形状のインクを分画して、そこから液体を除去するためのメカニズムと、
そのような画像の形状のインクを前記画像形成部材から転写する先となる中間転写部材と、
前記中間転写部材とともに挟持部を形成し、液体が除去された画像の形状のインクを受像体に転写する転写部材と、
を備えることを特徴とする高速デジタル印刷機。
【請求項２】
請求項１に記載の装置であって、
前記画像形成部材の上のそのような画像の形状のインクを分画するための前記メカニズムは、前記画像形成部材と前記分画部材との間にかかる電気的バイアスを有することを特徴とする装置。
【請求項３】
請求項２に記載の装置であって、
前記画像形成部材の上のそのような画像の形状のインクを分画するための前記メカニズムは、電気的にバイアス可能なスカイビング部材であることを特徴とする装置。
【請求項４】
請求項１に記載の装置であって、
さらに、前記中間転写部材の上のそのような画像の形状のインクを分画して、そこから液体を除去するための第二のメカニズムを備えることを特徴とする装置。
【請求項５】
請求項１に記載の装置であって、
前記中間転写部材はエラストマブランケットを備えることを特徴とする装置。
【請求項６】
請求項１に記載の装置であって、
前記画像形成部材は多孔質であることを特徴とする装置。
【請求項７】
請求項１に記載の装置であって、
前記画像形成部材の上のそのような画像の形状のインクは、前記画像形成部材から前記中間転写部材に静電的に転写されることを特徴とする装置。
【請求項８】
請求項１に記載の装置であって、
さらに、除去された液体を前記分画メカニズムから前記インクジェットヘッドに戻すための還流メカニズムを備えることを特徴とする装置。
【請求項９】
請求項１に記載の装置であって、
前記デジタル印刷装置は、噴射可能なインクを保持するためのタンクと、インク濃縮物を希釈して噴射可能なインクにするための部材と、を備えることを特徴とする装置。
【請求項１０】
請求項１に記載のインクジェット印刷装置において使用するのに適したインクであって、
前記インクはインク濃縮物を適当な溶媒に分散させることによって得られることを特徴とするインク。
【請求項１１】
請求項１０に記載のインクであって、
前記溶媒は、水、アルコール、炭化水素流体、鉱油またはそれらの組み合わせであることを特徴とするインク。
【請求項１２】
請求項１０に記載のインクであって、
前記インクは液体内に分散された重合体粒子を含むことを特徴とするインク。
【請求項１３】
請求項１２に記載のインクであって、
前記インクは着色剤を有する重合体粒子を含むことを特徴とするインク。
【請求項１４】
請求項１３に記載のインクであって、
前記インク着色剤は顔料、染料またはその組み合わせを含むことを特徴とするインク。
【請求項１５】
請求項１２に記載のインクであって、
前記インクの粒子の平均直径は１ミクロンまたはそれ以下であることを特徴とするインク。
【請求項１６】
請求項１記載の装置であって、
さらに、複数のモジュールを備え、各モジュールは画像形成部材と、前記画像形成部材の上に画像の形状でインクを噴射することのできるインクジェットヘッドと、前記画像形成部材の上のそのような画像の形状のインクを分画してそこから液体を除去するためのメカニズムと、そのような画像の形状のインクを前記画像形成部材から転写する先となる中間転写部材と、前記中間転写部材とともに挟持部を形成し、液体の除去された画像の形状のインクを、前記残りの複数のモジュールからの画像の形状のインクと見当合わせして受像体の上に転写するための転写部材と、を備えることを特徴とする装置。
【請求項１７】
請求項１６に記載の装置であって、
さらに、それぞれ各モジュールに関連付けられる、除去された液体を前記分画メカニズムの各々から前記インクジェットヘッドの各々に戻すための別の還流メカニズムを備えることを特徴とする装置。
【請求項１８】
請求項１７に記載の装置であって、
各モジュールの中のインクは異なる特性を有していてもよいことを特徴とする装置。
【発明の詳細な説明】
【技術分野】
【０００１】
本発明は一般にデジタル印刷に関し、より詳しくは、高速で印刷物を生成するためのデジタル印刷装置に関する。
【背景技術】
【０００２】
オフセット印刷機において、印刷ページは通常、最初に特定の色のインクでリソグラフィのイメージングプレートに画像の形状で(image-wise)インクを噴射することによって生成される。インク画像(inked image）はその後、表面力を使って中間部材に転写される。中間部材は一般に、エラストマー部材を含む。その後、紙またはその他の適当な受像体材料が中間部材と接触するように圧迫され、インク画像が受像体に転写される。所望の部数の印刷物が得られるまでこのプロセスが繰り返され、その後、リソグラフィプレートは廃棄される。マルチカラーの画像を生成するためには、印刷機は一連のステーションを備え、各ステーションは適当な減法混色の原色等、選択された色のインクを収容するインク噴射ステーションを有する。受像体はステーションからステーションに輸送され、これによって適正な色のインクが見当合わせされて受像体に転写される。
【０００３】
オフセットまたはリソグラフィによる印刷の主な欠点は、そのプロセスから作られる印刷物が指定不能である点、つまり、各印刷物が他のすべての印刷物と同一でなければならない点である。今日のようなコンピュータテクノロジーの時代では、プリンタが各印刷ページの内容を変えられることは、非常に重要である。別の欠点は、イメージングプレートの製作に時間とコストがかかる点である。つまり、一般的に他時間運転は費用効率が悪く、各色について別のイメージングプレートが必要となるカラー画像の場合は特に悪い。
【０００４】
電子写真およびインクジェットエンジンは、デジタル方式でのページ印刷に使用できる。どちらも、イメージングプレートの作製を必要としない。しかしながら、それぞれに限界がある。電子写真エンジンは、１分間にＡ３サイズの用紙約１８０枚という速度でカラーデジタル画像を印刷できる。しかし、より幅広い印刷物を生成したり、より高速で運転したりするのは、維持すべき許容誤差、トナー定着、トナー補充その他によって問題となる。
【０００５】
インクジェット技術は、高速大量印刷の領域でも制約されており、その主な理由は、水または溶媒を大量に除去しなければならないことである。これは、たとえば現在写真が印刷されている場合、あるいは画像に大きな面積の高密度部分が含まれている場合のように、印刷ページが大量の画像コンテンツを含んでいると特に問題となる。
【０００６】
関連分野において、デジタル方式で画像、特にカラー画像を印刷するための、インクジェットと電子写真技術の特徴を組み合わせたシステムが紹介されている。特に、ジョン・Ｗ・メイ他の名義で２００４年７月２７日に発行された米国特許第６，７６７，０９２号には、顔料粒子が水または有機溶媒中にコロイドとして分散されるプロセスについて記載されている。コロイドは、画像形成部材に画像の形状で付着され、顔料粒子が凝固され、余分な液体がスキージ、外部ブロッタ装置、蒸発装置、スカイビング装置、あるいはエアナイフによって除去される。画像は次に、紙等の受像体に転写される。あるいは、画像をまず中間部材に転写し、その後中間部材から受像体に転写することもできる。中間部材がカラー画像印刷可能なプリンタで使用される場合、主要画像形成部材を含むモジュールが中間部材周辺に配置され、色分版(color separation)は中間部材に見当合わせされて転写される。その後、合成画像は受像体に転写される。
【０００７】
顔料の凝固そのものは、顔料から溶媒を分離するのに完全に有効というわけではないかもしれない。さらに、顔料の凝固が画像品質の劣化の原因となることもあり、これは、均一に画素を覆う小滴内の小さなマーキング粒子(marking particle)が凝固して、より大きなマーキング粒子となり、これによって多くの顔料が画素の中のあるランダムな部分に入り、他の部分にはまったく入らないからである。その上、凝固は必ずしも顔料から溶媒を分画するとは限らない。余分な溶媒を除去する際、顔料も一緒に流されることがあり、画像品質がさらに低下する。
【０００８】
関連分野で紹介されている技術のもうひとつの制約は、流出液(effluent)を効率的にリサイクルできないことである。特に、たとえば紙という受像体から混入した繊維、炭化カルシウム、クレイ(clay)等の微粒子状汚染物質を流出液からフィルタ処理によって除去するのは困難であり、時間がかかる。これらの材料がインクジェットタンクの中に戻されると、インクジェットノズルを詰まらせる可能性がある。
【０００９】
関連分野で紹介されている技術の別の制約は、転写用中間部材を使用する場合、印刷エンジンが４色より多い色で印刷でき、あるいは必要と希望に応じて、４色未満の色を費用効率の高い方法で使用することが可能となる点である。しかしながら、特に、紹介されているエンジンは、中間転写部材を利用しており、４つの印刷モジュールを含むように設計、構築されている。この設計は製造単価（ＵＭＣ）に影響を与えず、このようなエンジンの生産費用は、組み込むモジュールが４つ未満であっても比較的影響を受けない。
【発明の開示】
【発明が解決しようとする課題】
【００１０】
本発明の目的は、上記の制約を克服するテクノロジーを提供することである。
【課題を解決するための手段】
【００１１】
上記を鑑み、本発明は、高速で印刷物を生成するためのデジタル印刷機を提供することに関する。高速デジタル印刷装置は、画像形成部材と、画像形成部材に画像の形状でインクを噴射することのできるインクジェットヘッドと、画像形成部材の上のこのような画像の形状のインクを分画し、そこから液体を除去するためのメカニズムと、画像形成部材から上記の画像の形状のインクを転写する先となる中間転写部材と、中間転写部材とともに挟持部（ニップ: nip）を形成し、液体が除去された画像の形状のインクを受像体に転写するための転写部材と、を備える。この印刷装置に適したインクは、インク濃縮物を適当な溶媒に分散させることによって作られる。
【００１２】
本発明およびその目標と利点は、以下に記載の好ましい実施例の詳細な説明から明らかとなるであろう。
【発明を実施するための最良の形態】
【００１３】
以下に記載する本発明の好ましい実施例の詳細な説明においては、添付の図面を参照する。
【００１４】
ここで、添付の図面を参照すると、図１は本発明のデジタル印刷装置のエンジンの概略を示す。一般的な連続インクジェットタイプ（またはドロップオンデマンド）等のインク噴射ヘッド１２が、周知のインクジェット技術で通常実行される方法により、インクの小滴を画像の形状で画像形成ローラ１４に付着させるために設けられている。画像形成ローラ１４は好ましくは金属であるが、選択された各プロセスによって好ましいのであれば、セラミックまたはポリマ等、他の材料によるものでもよい。
【００１５】
このインクは、通常、インクジェット用インクがコロイド懸暖液または溶液中に顔料または染料を含んでいるという点で、一般的なインクジェット用インクとは異なる。本発明で用いられるインクは粒子を含み、この粒子はポリマ等のバインダの中に染料や顔料等の着色剤を含むマーキング粒子(marking particle)とすることができる。好適なポリマは、たとえば、電子写真用トナーで一般的に使用されているように、ポリエステル、ポリスチレンまたはポリエステルアクリレート等である。インクはまた、マーキング粒子を所望の方法で帯電させることのできる適当な帯電剤(charge agent)を含んでいてもよい。インクには、溶媒も含まれるであろう。本発明のいくつかの動作モードにおいては水が好適な溶媒であるが、溶媒は有機溶媒等の誘電性液体であることが望ましい。好ましい溶媒はアイソパーＬであるが、他の有機誘電性溶媒でも適当であろう。マーキング粒子は溶媒に溶けないことが好ましい。シリコンまたは鉱油その他の無機誘電性溶媒もまた使用できる。
【００１６】
インク中の粒子は、マーキング粒子である必要はない。むしろ、これらは着色剤が含まれないという点以外はマーキング粒子と同一とすることができる。このような粒子は、たとえば、画像に均一な光沢を与え、画像を剥離、ブリッキング(bricking)（つまり、画像形成された個々のシートが熱や圧力の影響で相互に付着すること）から保護し、ひび割れを軽減する上で有益である。インクは、凝固剤を含んでいても、いなくてもよい。あるいは、凝固剤は、希望に応じて、たとえば別のインクジェットヘッド（図示せず）によって別に塗布してもよい。しかしながら、凝固は本発明の必要条件ではない。
【００１７】
できるだけ高濃度のマーキング粒子を用いることが好ましいが、現在のインクジェットヘッド技術では、濃度は約１０重量％未満に制限される。安定したコロイドを生成するためにも、粒子の濃度はほぼこの濃度に制限される。マーキング粒子の濃度をあまり下げすぎると、必要な高い密度の画像を得る能力に不利な影響を与えることがあり、また、大量の溶剤を使用しなければならなくなる場合がある。マーキング粒子の濃度は、１重量％未満であるべきではない。マーキング粒子の濃度は、噴射可能インクの場合、２重量％から７重量％の範囲内であることが好ましい。インクを噴射する能力はまた、マーキング粒子の大きさを直径３μｍ未満、好ましくは直径１μｍ未満、より好ましくは直径０．５μｍ未満に制限する。マーキング粒子は、研削と分類等の周知の技術で製作することができる。しかしながら、粒子は、たとえば乳化重合法、蒸発制限コアレッセンス法、制限コアレッセンス法、噴霧乾燥造粒法等の化学的手段で製造することが好ましい。
【００１８】
画像形成ローラ１４上に画像の形状で付着されたインクは、余分な溶媒からマーキング粒子を分画することによって濃縮される。図１に示すように、好ましい動作モードでは、分画はドクターローラ１６または同様に機能するドクターブレード１６を使って行われる。この好ましいモードにおいて、現像インクは前述のように、誘電性溶媒とマーキング（または非マーキング(non-marking)）粒子を含んでいる。マーキング粒子は所定の電荷を有し、好ましくは、文献でよく知られているもののような適当な帯電剤を使って固定される。ドクターローラ１６と金属製またはその他の導電性の画像形成ローラ１４の間に電位差が設けられる。あるいは、電位差は、ドクターローラ１６の、処理方向に向かってすぐ上流に設けられたプレートまたは同様な構造（図示せず）を使って設けることができる。電位は、溶媒中のマーキング粒子を画像形成ローラ１４に向かって駆動するように設定され、これによってドクターローラまたはブレードが、画像形成ローラから余分な溶媒を扱き取る(skive)ことができる。好ましい動作モードにおいて、その後流出液が捕捉され、リサイクラ１８に運ばれ、インク噴射ヘッド１２のためのインクタンクへと還流される。
【００１９】
好ましい動作モードにおいて、インク画像（分画後）は転写中間ローラ２０に転写される。これは、画像ローラ１４と中間ローラ２０の間に電気的バイアスを構築し、マーキング粒子を中間転写ローラ２０へと転写するよう促すことによって行われる。転写後、画像形成ローラ１４は適当なクリーニングメカニズム２２によって洗浄され、その間、中間転写ローラ２０は第二のドクターローラ２４と一緒に回転され、第二のドクターローラ２４は、希望または必要に応じて、前述のものと同様の方法でインクをさらに濃縮することができる。希望に応じて、つまり流出液が十分にきれいである、あるいは汚染物質を除去するように浄化可能である場合、ドクターローラ２４からの流出液は、リサイクラ１８を通じてインク噴射ヘッド１２のインクタンクへと還流させることもできる。その一方で、流出液が受像体である紙から汚染物質を取り込んでいる場合、これは廃棄してもよい。好ましい動作モードでは、流出液のほとんどが画像形成ローラ１４での扱き取りプロセスで捕捉され、この材料はごみで汚染されていないはずであるため、第二の分画ステップは任意であってもよい。
【００２０】
転写されたインク画像はその後、受像体３０に中間転写ローラ２０と転写ローラ２６で形成される挟持部２０を通過させることによって受像体３０に転写される。中間転写ローラ２０と転写ローラ２６は電気的にバイアスされ、マーキング粒子を中間転写ローラ２０から受像体３０へと移動するよう促す。中間転写ローラ２０は次に、クリーニングメカニズム２２と同様のクリーニングメカニズム２８を通過し、残留インクおよびその他の汚染物質が取り除かれる。
【００２１】
別の実施例において、インクの分画は、画像形成ローラ１４の代わりに多孔質画像形成ローラ１４ａ（図４参照）を使って実行することができる。
【００２２】
この別の実施例において、インクは画像形成ローラ１４ａの多孔質シリンダ４０の中に、この多孔質シリンダの内部に真空Ｖをかけることによって吸引される。流出液は次に、希望に応じて、インク噴射ヘッド１２ａのためのインクタンクへと戻される。多孔質シリンダ４０の孔は十分に小さいため、インク内のマーキング粒子は流出液とともに孔構造に吸い込まれず、表面上に残る。また別の実施例において、分画は、インクが付着されるオープンセルフォーム(open cell foam)構造５０（図５参照）を有する画像形成ローラ１４ｂを用いて実現することができる。余分な溶媒は次に、発泡構造５０を加圧ローラ５２に押圧することによって画像形成ローラから搾り出され(rung)、希望に応じて流出液が捕捉され、リサイクルされる。この実施例では、水性溶媒または誘電性溶媒のいずれを含むインクでも使用できる。インクが誘電性溶媒を含む場合、濃縮されたインクの中の粒子は中間転写部材と受像体に静電的に転写できる。水等の非誘電性溶媒が使用される場合、インクはインクを受像体と接触させることにより、表面力を使って転写する必要があり、この受像体は、毎回の転写に応じて、中間転写ローラでも受像体（紙等）のいずれでもよい。
【００２３】
インクジェット用インクは一般に自己固着する(self-fixing)が、インク粒子の受像体への固着は、電子写真の分野でよく知られているように、適当な加熱、溶剤または加圧定着を用いることによって改善できる。
【００２４】
複数の色の粒子で文書を生成するために、あるいはこれと同等に、インクを透明な（非マーキング）粒子とともに使用することが好ましい場合、印刷装置には図２に示されるような複数のモジュール１０ａ−１０ｄを設ける。
【００２５】
このような場合、各モジュール１０ａ−１０ｄは個々の画像形成ローラ１４ａ−１４ｄに、別の色または画像分版(separation image)のマーキング粒子、あるいはこれと同等に、非マーキング粒子を付着させる。各分版は次に、各モジュール１０ａ−１０ｄ内で中間転写ローラ２０ａ−２０ｄに転写される。各分版は次に、受像体３０’を経路Ｐに沿ってモジュールからモジュールに移動させ、前述のように受像体を適当な転写条件にさらすことによって、受像体３０’に見当合わせされて転写される。受像体３０’は、たとえば真空または静電ロール紙輸送やグリップ等の周知の技術を使って輸送することができる。モジュール１０ａ−１０ｄは、たとえば特に歯付駆動ベルト等の駆動ベルト、摩擦駆動メカニズムまたはエンコーダと適当なモータドライブを使って、モジュールを歯車で連結する等の周知の技術で、同期して駆動され、見当合わせされた画像が生成されるようにする。このように、希望の数の別のカラーまたは透明インクを使用できるデジタル印刷エンジンが提供される。
【００２６】
複数のモジュールを使用するのではなく、２つまたはそれ以上のカラーインクを混合することによって生成される適当なカラーインクを提供して、１つのモジュールを使ってカスタムスポットカラーを印刷することも可能である。同様に、飽和度の低いカラーインクは、特定の色を１つのステーションで非マーキングインクと混合することによって生成することができ、その結果、他のステーションを別の色または用途に使用し、転写動作の数を減らし、見当合わせのエラー等のアーチファクトを低減することによって画質を改善できる。
【００２７】
本発明の特に有利な点は、これによって従来のインクジェット技術で通常得られるものより高い色濃度で画像を創出することが可能となることである。特に、従来のインクジェット印刷は染料または顔料５重量％ごとに約９５重量％の水またはその他の溶媒を紙の上に付着させる。このような高い液体含有量は、受像体を飽和させうる。さらに、このように多くの溶媒が存在することは、色が相互ににじみ、色品質が低下し、あるいは解像度が失われる等の原因となる。本発明で述べているように、マーキング粒子を溶媒から分離してから受像体に付着させることにより、このような問題はほとんど解消される。さらに、大量の溶媒または水を省くことにより、単位面積あたりにより多くのマーキング粒子が付着されることになり、それによってより高い画像濃度を実現できる。
【００２８】
本発明の別の利点は、これによって画像の上に透明な層または保護層を設けることが可能になる点である。このような層はしばしば、グラフィックアートにおいて利用され、たとえば、均一な光沢を実現し、あるいは画像を保護する。しかしながら、従来のインクジェットプロセスでは、このような透明な層を設けることによって、色が溶け、受像体が飽和するため、従来のインクジェット印刷装置でこれを実現するのは不可能である。本発明によって溶媒のほとんどを除去することにより、無色のマーキング粒子が画像の上に付着するため、丈夫な保護膜を付着させることができる。また、透明な保護膜の存在によって、均一で制御可能な光沢レベルを実現できる。
【００２９】
本発明の好ましい実施態様において、マーキング（非マーキング）粒子は溶媒の中で、大量に解けるほどではないが、若干柔らかくなる。これにより、インクが受像体上に固着しやすくなる。本発明の別の実施モードにおいて、マーキング粒子は、熱や圧力の印加により、あるいは粒子が解ける溶媒の蒸気をかけることにより、永久的に固着させることができる。
【００３０】
本発明のまた別の好ましい実施態様において、定着の前、あるいは好ましくは定着後に、画像が形成された受像体を、受像体の画像形成側を２つまたはそれ以上のローラで形成される高温挟持部の間で平滑なベルトまたはロール紙に圧迫することによって、熱と圧力にさらすことにより、画像に光沢がつけられる。ローラのうちの１本は、粒子の光沢遷移温度より高い温度まで加熱される。画像の形成された受像体を担持するベルトは、画像が形成された受像体が粒子の光沢遷移温度より低い温度まで冷却される地点まで輸送され、ここで、画像の形成された受像体は円滑なベルトまたはロール紙から分離される。
【００３１】
本発明の実施において、現像装置の流出液をリサイクルすることが好ましい。特に、流出液は、インク噴射ヘッドのためのインクを保持するタンク（たとえば、図１の要素１２）に還流させる必要がある。マーキング粒子が流出液から除去されているため、インクには、装置内の流出液で希釈できるマーキング（非マーキング）粒子濃縮物を補充し、インクがインクジェットヘッドに到達するときまでに、適正な粒子濃度の噴射可能なインクが生成されるようにする必要がある。インク濃縮物の濃度レベルは、その濃縮物の中の溶媒の量がシステムへと失われる溶媒の量、つまりプロセスがリサイクルできない溶媒の量とほぼ一致するように調整するべきである。損失には、分画されず、マーキング粒子と一緒に転写される溶媒の量のほか、流出液の浄化中にそれをインク噴射システムにフィードバックするのに適した形とするために失われる溶媒が含まれる。インク濃縮物とリサイクルされた流出液をインクタンクに直接還流させることが好ましいが、ある状況においては、装置本体(proper)の中または外に設置された別のタンクの中で、流出液とインク濃縮物を混合することが好ましいかもしれない。
【００３２】
図３は、製造後に溶媒の上澄み(supernatant solvent)を回収するための装置１６，２４（図１に関して上述）を備える本発明によるデジタル印刷装置を示し、この溶剤の上澄みはリサイクラ１８の中に流れる。リサイクラ１８には、濃縮インクのためのコンテナ１９が取り付けられている。濃縮物からのインクは流出液と混合されて適当な濃度にされ、インク濃度は周知の手段で測定される。希望に応じて、流出液をまずフィルタ処理またはその他の方法で純化してから、リサイクラ１８で回収することもできる。
【図面の簡単な説明】
【００３３】
【図１】本発明による高速デジタル印刷装置の概略図である。
【図２】この装置のマルチモジュール版の概略図である。
【図３】インク濃縮物を加えるための装置を備える高速デジタル印刷装置の別の実施例の概略図である。
【符号の説明】
【００３４】
１０ａ モジュール、１２，１２ａ  インク噴射ヘッド、１４，１４ａ，１４ｂ  画像形成ローラ、１６  ドクターブレード、１８  リサイクラ、１９  コンテナ、２０  挟持部、２０ａ  中間転写ローラ、２２  クリーニングメカニズム、２４  ドクターローラ、２６  転写ローラ、２８  クリーニングメカニズム、３０  受像体、４０  多孔質シリンダ、５０  発泡構造、５２  加圧ローラ。
【図１】
2009538757.tif 000003
【図２】
2009538757.tif 000004
【図３】
2009538757.tif 000005
【国際調査報告】
2009538757.tif 000006
2009538757.tif 000007